【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
発光部の照射方向を変更させるために当該発光部を備えた可動部を自動で駆動させることが可能な照明装置を用いた撮影を行う撮像装置であって、
前記発光部の照射方向を自動的に決定するための動作を開始させる操作を受け付ける操作手段と、
前記操作手段にて受け付けた第１の操作に応じて前記発光部の照射方向を自動的に決定した後に前記操作手段にて第２の操作を受け付けた場合に、当該第２の操作に応じて前記発光部の照射方向を自動的に決定するか否かを制御する制御手段と、を有し、
前記制御手段は、前記第１の操作に応じた基準タイミングからの経過時間が所定時間以内の場合、前記第２の操作に応じて前記発光部の照射方向を自動的に決定しないように制御することを特徴とする撮像装置。
【請求項２】
前記基準タイミングは、前記第１の操作に応じて前記発光部の照射方向を自動的に決定するための動作を開始させる実行指示が前記照明装置に送信されたタイミングであることを特徴とする請求項１に記載の撮像装置。
【請求項３】
前記基準タイミングは、前記第１の操作に応じて実行された前記発光部の照射方向を自動的に決定するための動作の終了通知を前記照明装置から受信したタイミングであることを特徴とする請求項１に記載の撮像装置。
【請求項４】
前記基準タイミングは、前記操作手段への前記第１の操作が解除されたタイミングであることを特徴とする請求項１に記載の撮像装置。
【請求項５】
発光部の照射方向を変更させるために当該発光部を備えた可動部を自動で駆動させることが可能な照明装置を用いた撮影を行う撮像装置であって、
前記発光部の照射方向を自動的に決定するための動作を開始させる操作を受け付ける操作手段と、
前記撮像装置の動きに関する情報を取得する取得手段と、
前記操作手段にて受け付けた第１の操作に応じて前記発光部の照射方向を自動的に決定した後に前記操作手段にて第２の操作を受け付けた場合に、当該第２の操作に応じて前記発光部の照射方向を自動的に決定するか否かを制御する制御手段と、を有し、
前記制御手段は、前記第１の操作に応じて前記発光部の照射方向を自動的に決定する前に取得した前記撮像装置の動きに関する情報と前記第１の操作に応じて前記発光部の照射方向を自動的に決定した後に取得した前記撮像装置の動きに関する情報とに基づく前記撮像装置の動き量が所定量以内の場合、前記第２の操作に応じて前記発光部の照射方向を自動的に決定しないように制御することを特徴とする撮像装置。
【請求項６】
前記制御手段は、前記操作手段にて前記第１の操作を受け付けてから当該第１の操作に応じて前記発光部の照射方向を自動的に決定する前に取得した前記撮像装置の動きに関する情報と前記第１の操作に応じて前記発光部の照射方向を自動的に決定した後に取得した前記撮像装置の動きに関する情報とに基づく前記撮像装置の動き量が所定量以内の場合、前記第２の操作に応じて前記発光部の照射方向を自動的に決定しないように制御することを特徴とする請求項５に記載の撮像装置。
【請求項７】
発光部の照射方向を変更させるために当該発光部を備えた可動部を自動で駆動させることが可能な照明装置を用いた撮影を行う撮像装置であって、
前記発光部の照射方向を自動的に決定するための動作を開始させる操作を受け付ける操作手段と、
前記撮像装置の動きに関する情報を取得する取得手段と、
前記操作手段にて受け付けた第１の操作に応じて前記発光部の照射方向を自動的に決定した後に前記操作手段にて第２の操作を受け付けた場合に、当該第２の操作に応じて前記発光部の照射方向を自動的に決定するか否かを制御する制御手段と、を有し、
前記制御手段は、前記第１の操作に応じて前記発光部の照射方向を自動的に決定する前に取得した被写体情報と前記第１の操作に応じて前記発光部の照射方向を自動的に決定した後に取得した被写体情報とに基づく被写体の変化量が所定量以内の場合、前記第２の操作に応じて前記発光部の照射方向を自動的に決定しないように制御することを特徴とする撮像装置。
【請求項８】
前記制御手段は、前記操作手段にて前記第１の操作を受け付けてから当該第１の操作に応じて前記発光部の照射方向を自動的に決定する前に取得した被写体情報と前記第１の操作に応じて前記発光部の照射方向を自動的に決定した後に取得した被写体情報とに基づく被写体の変化量が所定量以内の場合、前記第２の操作に応じて前記発光部の照射方向を自動的に決定しないように制御することを特徴とする請求項７に記載の撮像装置。
【請求項９】
発光部の照射方向を変更させるために当該発光部を備えた可動部を自動で駆動させることが可能な照明装置を用いた撮影を行う撮像装置であって、
前記発光部の照射方向を自動的に決定するための動作を開始させる操作を受け付ける操作手段と、
前記操作手段にて受け付けた第１の操作に応じて前記発光部の照射方向を自動的に決定した後に前記操作手段にて第２の操作を受け付けた場合に、当該第２の操作に応じて前記発光部の照射方向を自動的に決定するか否かを制御する制御手段と、を有し、
前記制御手段は、前記第１の操作を受け付けてから前記第２の操作を受け付けるまでの経過時間が第１の時間のときは、前記第２の操作に応じて前記発光部の照射方向を自動的に決定しないようにし、前記第１の操作を受け付けてから前記第２の操作を受け付けるまでの経過時間が前記第１の時間よりも長い第２の時間のときは、前記第２の操作に応じて前記発光部の照射方向を自動的に決定するように制御することを特徴とする撮像装置。
【請求項１０】
発光部と、
前記発光部を備え、本体部に対して回動可能に保持される可動部と、
前記可動部を駆動させる駆動手段と、
前記発光部の照射方向を自動的に決定する決定手段と、
第１の指示に応じて前記発光部の照射方向を自動的に決定した後に、前記発光部の照射方向を自動的に決定するように第２の指示がなされた場合に、当該第２の指示に応じて前記発光部の照射方向を自動的に決定するか否かを制御する制御手段と、を有し、
前記制御手段は、前記第１の指示に応じた基準タイミングからの経過時間が所定時間以内の場合、前記第２の指示に応じて前記発光部の照射方向を自動的に決定しないように制御することを特徴とする照明装置。
【請求項１１】
撮像装置に着脱可能な照明装置であって、
発光部と、
前記発光部を備え、本体部に対して回動可能に保持される可動部と、
前記可動部を駆動させる駆動手段と、
前記発光部の照射方向を自動的に決定する決定手段と、
第１の指示に応じて前記発光部の照射方向を自動的に決定した後に、前記発光部の照射方向を自動的に決定するように第２の指示がなされた場合に、当該第２の指示に応じて前記発光部の照射方向を自動的に決定するか否かを制御する制御手段と、を有し、
前記制御手段は、前記第１の指示に応じて前記発光部の照射方向を自動的に決定する前に取得した装着された撮像装置の動きに関する情報と前記第１の指示に応じて前記発光部の照射方向を自動的に決定した後に取得した前記装着された撮像装置の動きに関する情報とに基づく前記装着された撮像装置の動き量が所定量以内の場合、前記第２の指示に応じて前記発光部の照射方向を自動的に決定しないように制御することを特徴とする照明装置。
【請求項１２】
発光部と、
前記発光部を備え、本体部に対して回動可能に保持される可動部と、
前記可動部を駆動させる駆動手段と、
前記発光部の照射方向を自動的に決定する決定手段と、
第１の指示に応じて前記発光部の照射方向を自動的に決定した後に、前記発光部の照射方向を自動的に決定するように第２の指示がなされた場合に、当該第２の指示に応じて前記発光部の照射方向を自動的に決定するか否かを制御する制御手段と、を有し、
前記制御手段は、前記第１の指示に応じて前記発光部の照射方向を自動的に決定する前に取得した被写体情報と前記第１の指示に応じて前記発光部の照射方向を自動的に決定した後に取得した被写体情報とに基づく被写体の変化量が所定量以内の場合、前記第２の指示に応じて前記発光部の照射方向を自動的に決定しないように制御することを特徴とする照明装置。
【請求項１３】
発光部と、
前記発光部を備え、本体部に対して回動可能に保持される可動部と、
前記可動部を駆動させる駆動手段と、
前記発光部の照射方向を自動的に決定する決定手段と、
第１の指示に応じて前記発光部の照射方向を自動的に決定した後に、前記発光部の照射方向を自動的に決定するように第２の指示がなされた場合に、当該第２の指示に応じて前記発光部の照射方向を自動的に決定するか否かを制御する制御手段と、を有し、
前記制御手段は、前記第１の指示がなされてから前記第２の指示がなされるまでの経過時間が第１の時間のときは、前記第２の指示に応じて前記発光部の照射方向を自動的に決定しないようにし、前記第１の指示がなされてから前記第２の指示がなされるまでの経過時間が前記第１の時間よりも長い第２の時間のときは、前記第２の指示に応じて前記発光部の照射方向を自動的に決定するように制御することを特徴とする照明装置。
【請求項１４】
発光部の照射方向を変更させるために当該発光部を備えた可動部を自動で駆動させることが可能な照明装置と、撮像装置とを含むカメラシステムであって、
前記発光部の照射方向を自動的に決定するための動作を開始させる操作を受け付ける操作手段と、
前記操作手段にて受け付けた第１の操作に応じて前記発光部の照射方向を自動的に決定した後に前記操作手段にて第２の操作を受け付けた場合に、当該第２の操作に応じて前記発光部の照射方向を自動的に決定するか否かを制御する制御手段と、を有し、
前記制御手段は、前記第１の操作に応じた基準タイミングからの経過時間が所定時間以内の場合、前記第２の操作に応じて前記発光部の照射方向を自動的に決定しないように制御することを特徴とするカメラシステム。
【請求項１５】
発光部の照射方向を変更させるために当該発光部を備えた可動部を自動で駆動させることが可能な照明装置と、撮像装置とを含むカメラシステムであって、
前記発光部の照射方向を自動的に決定するための動作を開始させる操作を受け付ける操作手段と、
前記撮像装置の動きに関する情報を取得する取得手段と、
前記操作手段にて受け付けた第１の操作に応じて前記発光部の照射方向を自動的に決定した後に前記操作手段にて第２の操作を受け付けた場合に、当該第２の操作に応じて前記発光部の照射方向を自動的に決定するか否かを制御する制御手段と、を有し、
前記制御手段は、前記第１の操作に応じて前記発光部の照射方向を自動的に決定する前に取得した前記撮像装置の動きに関する情報と前記第１の操作に応じて前記発光部の照射方向を自動的に決定した後に取得した前記撮像装置の動きに関する情報とに基づく前記撮像装置の動き量が所定量以内の場合、前記第２の操作に応じて前記発光部の照射方向を自動的に決定しないように制御することを特徴とするカメラシステム。
【請求項１６】
発光部の照射方向を変更させるために当該発光部を備えた可動部を自動で駆動させることが可能な照明装置と、撮像装置とを含むカメラシステムであって、
前記発光部の照射方向を自動的に決定するための動作を開始させる操作を受け付ける操作手段と、
前記撮像装置の動きに関する情報を取得する取得手段と、
前記操作手段にて受け付けた第１の操作に応じて前記発光部の照射方向を自動的に決定した後に前記操作手段にて第２の操作を受け付けた場合に、当該第２の操作に応じて前記発光部の照射方向を自動的に決定するか否かを制御する制御手段と、を有し、
前記制御手段は、前記第１の操作に応じて前記発光部の照射方向を自動的に決定する前に取得した被写体情報と前記第１の操作に応じて前記発光部の照射方向を自動的に決定した後に取得した被写体情報とに基づく被写体の変化量が所定量以内の場合、前記第２の操作に応じて前記発光部の照射方向を自動的に決定しないように制御することを特徴とするカメラシステム。
【請求項１７】
発光部の照射方向を変更させるために当該発光部を備えた可動部を自動で駆動させることが可能な照明装置と、撮像装置とを含むカメラシステムであって、
前記発光部の照射方向を自動的に決定するための動作を開始させる操作を受け付ける操作手段と、
前記操作手段にて受け付けた第１の操作に応じて前記発光部の照射方向を自動的に決定した後に前記操作手段にて第２の操作を受け付けた場合に、当該第２の操作に応じて前記発光部の照射方向を自動的に決定するか否かを制御する制御手段と、を有し、
前記制御手段は、前記第１の操作を受け付けてから前記第２の操作を受け付けるまでの経過時間が第１の時間のときは、前記第２の操作に応じて前記発光部の照射方向を自動的に決定しないようにし、前記第１の操作を受け付けてから前記第２の操作を受け付けるまでの経過時間が前記第１の時間よりも長い第２の時間のときは、前記第２の操作に応じて前記発光部の照射方向を自動的に決定するように制御することを特徴とするカメラシステム。
【請求項１８】
発光部の照射方向を変更させるために当該発光部を備えた可動部を自動で駆動させることが可能な照明装置の制御方法であって、
第１の指示に応じて前記発光部の照射方向を自動的に決定した後に、前記発光部の照射方向を自動的に決定するように第２の指示がなされた場合に、当該第２の指示に応じて前記発光部の照射方向を自動的に決定するか否かを制御する制御ステップを有し、
前記制御ステップは、前記第１の指示に応じた基準タイミングからの経過時間が所定時間以内の場合、前記第２の指示に応じて前記発光部の照射方向を自動的に決定しないように制御することを特徴とする制御方法。
【請求項１９】
撮像装置に着脱可能であって、発光部の照射方向を変更させるために当該発光部を備えた可動部を自動で駆動させることが可能な照明装置の制御方法であって、
第１の指示に応じて前記発光部の照射方向を自動的に決定した後に、前記発光部の照射方向を自動的に決定するように第２の指示がなされた場合に、当該第２の指示に応じて前記発光部の照射方向を自動的に決定するか否かを制御する制御ステップを有し、
前記制御ステップは、前記第１の指示に応じて前記発光部の照射方向を自動的に決定する前に取得した装着された撮像装置の動きに関する情報と前記第１の指示に応じて前記発光部の照射方向を自動的に決定した後に取得した前記装着された撮像装置の動きに関する情報とに基づく前記装着された撮像装置の動き量が所定量以内の場合、前記第２の指示に応じて前記発光部の照射方向を自動的に決定しないように制御することを特徴とする制御方法。
【請求項２０】
発光部の照射方向を変更させるために当該発光部を備えた可動部を自動で駆動させることが可能な照明装置の制御方法であって、
第１の指示に応じて前記発光部の照射方向を自動的に決定した後に、前記発光部の照射方向を自動的に決定するように第２の指示がなされた場合に、当該第２の指示に応じて前記発光部の照射方向を自動的に決定するか否かを制御する制御ステップを有し、
前記制御ステップは、前記第１の指示に応じて前記発光部の照射方向を自動的に決定する前に取得した被写体情報と前記第１の指示に応じて前記発光部の照射方向を自動的に決定した後に取得した被写体情報とに基づく被写体の変化量が所定量以内の場合、前記第２の指示に応じて前記発光部の照射方向を自動的に決定しないように制御することを特徴とする制御方法。
【請求項２１】
発光部の照射方向を変更させるために当該発光部を備えた可動部を自動で駆動させることが可能な照明装置の制御方法であって、
第１の指示に応じて前記発光部の照射方向を自動的に決定した後に、前記発光部の照射方向を自動的に決定するように第２の指示がなされた場合に、当該第２の指示に応じて前記発光部の照射方向を自動的に決定するか否かを制御する制御ステップを有し、
前記制御ステップは、前記第１の操作を受け付けてから前記第２の操作を受け付けるまでの経過時間が第１の時間のときは、前記第２の操作に応じて前記発光部の照射方向を自動的に決定しないようにし、前記第１の操作を受け付けてから前記第２の操作を受け付けるまでの経過時間が前記第１の時間よりも長い第２の時間のときは、前記第２の操作に応じて前記発光部の照射方向を自動的に決定するように制御することを特徴とする制御方法。